(57)【要約】【課題】手差し供給経路とロール紙経路との双方を備える記録装置において、装置構成の複雑化と大型化を抑制することにあり、また更には、ロール紙を装置内部に供給する際の作業性に配慮された記録装置を提供する。【解決手段】インクジェットプリンター１は、装置下部に設けられた用紙カセット７からの用紙供給経路と、手差しトレイ１１からの用紙供給経路と、ロール紙ロールＲからの用紙供給経路と、を備えている。ロール紙ホルダ４０は手差しトレイ１１に着脱可能に装着され、ロールＲが手差し供給経路の上流に設けられた状態となり、ロール紙供給経路が手差し供給経路を利用する構成となる。これにより、手差し供給経路とロール紙供給経路とを備えたインクジェットプリンター１において、装置構成の複雑化と大型化を抑制することができる。【選択図】図１３
2013112473.tif 000002
【特許請求の範囲】
【請求項１】
媒体に記録を行う記録手段と、
前記記録手段の上流側における媒体の通過経路であり、媒体を手差しで供給する際に媒体が通過する手差し供給経路と、
前記記録手段の上流側における媒体の通過経路であり、媒体がロール状に巻かれたロールから繰り出される媒体が通過するロール媒体経路と、を備え、
前記ロールが前記手差し供給経路の上流に設けられ、前記ロール媒体経路が前記手差し供給経路を利用する構成である、
ことを特徴とする記録装置。
【請求項２】
請求項１に記載の記録装置において、前記手差し供給経路に差し入れられる媒体を支持する手差しトレイを備え、
前記ロールを支持するロールホルダが、前記手差しトレイに対して着脱可能に設けられる、
ことを特徴とする記録装置。
【請求項３】
請求項２に記載の記録装置において、前記手差しトレイにおいて媒体の厚み方向に隙間を形成するとともに、前記隙間が変化する方向に姿勢変化或いは変位可能に設けられた規制部材と、
前記ロールホルダが前記手差しトレイに装着された際に前記隙間が拡がる方向に前記規制部材を姿勢変化させ或いは変位させる隙間調整手段と、
を備えた記録装置。
【請求項４】
請求項３に記載の記録装置において、前記隙間調整手段が、前記規制部材に設けられた第１係合部と、
前記ロールホルダに設けられた第２係合部と、を備え、
前記ロールホルダが前記手差しトレイに装着された際に前記第２係合部が前記第１係合部と係合することにより、前記規制部材が姿勢変化し或いは変位する構成である、
ことを特徴とする記録装置。
【発明の詳細な説明】
【技術分野】
【０００１】
本発明は、ファクシミリやプリンターに代表される記録装置に関し、特に媒体を手差しで供給する手差し供給経路を備えた記録装置に関する。
【背景技術】
【０００２】
ファクシミリやプリンターに代表される記録装置においては、媒体としての用紙を複数枚セット可能であるとともに、セットされた複数枚の媒体を１枚ずつ給送する給送装置が設けられるが、この給送装置に加えて、或いは給送装置に代えて、手差しによって用紙を給送する為の手差しトレイ（手差し供給経路）が設けられる場合がある。
【０００３】
また、記録装置においては単票紙に加えて、所謂ロール紙を利用可能に構成されたものがある。ロール紙を利用可能な記録装置は、例えばロール紙が巻かれて成るロールを保持するロールホルダを備えており、このロールホルダにロールをセットし、ロールからロール紙を繰り出して、下流側の搬送ローラー対に食い付かせ、搬送ローラー対の回転によりロール紙が供給される構成となっている（特許文献１）。
【先行技術文献】
【特許文献】
【０００４】
【特許文献１】特開２０１１−１５７１６６号公報
【発明の概要】
【発明が解決しようとする課題】
【０００５】
ここで、手差し供給経路とロール紙供給経路との双方を備える場合、特許文献１に示される様に双方の供給経路が独立して設けられていたことから、装置構成の複雑化と大型化を招いていた。加えて、ロール紙はカール癖が付いていることから、ロールからロール紙を繰り出して装置内部に供給する際にカール癖が邪魔となり、供給作業が行い難い場合がある。
【０００６】
そこで本発明はこの様な状況に鑑みなされたものであり、その目的は、手差し供給経路とロール紙供給経路との双方を備える記録装置において、装置構成の複雑化と大型化を抑制することにあり、また更には、ロール紙を装置内部に供給する際の作業性に配慮された記録装置を提供することにある。
【課題を解決するための手段】
【０００７】
上記課題を解決する為の、本発明の第１の態様に係る記録装置は、媒体に記録を行う記録手段と、前記記録手段の上流側における媒体の通過経路であり、媒体を手差しで供給する際に媒体が通過する手差し供給経路と、前記記録手段の上流側における媒体の通過経路であり、媒体がロール状に巻かれたロールから繰り出される媒体が通過するロール媒体経路と、を備え、前記ロールが前記手差し供給経路の上流に設けられ、前記ロール媒体経路が前記手差し供給経路を利用する構成であることを特徴とする。
【０００８】
本態様によれば、媒体がロール状に巻かれたロールが手差し供給経路の上流に設けられ、ロール媒体経路が手差し供給経路を利用する構成であることから、手差し供給経路とロール媒体経路とを備えた記録装置において装置構成の複雑化と大型化を抑制することができる。
【０００９】
本発明の第２の態様は、第１の態様において、前記手差し供給経路に差し入れられる媒体を支持する手差しトレイを備え、前記ロールを支持するロールホルダが、前記手差しトレイに対して着脱可能に設けられることを特徴とする。
【００１０】
本態様によれば、ロールを支持するロールホルダが、手差し供給経路に差し入れられる媒体を支持する手差しトレイに対して着脱可能に設けられるので、手差し供給経路に対するロールの位置が正確に定まり易く、ロール媒体を適切に手差し供給経路に供給することができる。
【００１１】
本発明の第３の態様は、第２の態様において、前記手差しトレイにおいて媒体の厚み方向に隙間を形成するとともに、前記隙間が変化する方向に姿勢変化或いは変位可能に設けられた規制部材と、前記ロールホルダが前記手差しトレイに装着された際に前記隙間が拡がる方向に前記規制部材を姿勢変化させ或いは変位させる隙間調整手段とを備えたことを特徴とする。
【００１２】
本態様によれば、前記手差しトレイにおいて媒体の厚み方向に隙間を形成する規制部材を備えているので、前記手差し供給経路に供給されるべきでない媒体、例えば極端に厚みのある媒体や、複数枚の媒体など、が供給されることを防止することができる。
【００１３】
一方、ロールから媒体が繰り出される（巻き解かれる）と、その媒体には巻癖が付いており、従ってその様な巻癖の付いた媒体を上記隙間に通すには作業性が悪い。しかしながら、前記ロールホルダが前記手差しトレイに装着された際に、前記隙間調整手段によって前記隙間が拡がる方向に前記規制部材が姿勢変化或いは変位するので、巻癖の付いた媒体であっても、容易に前記隙間に通すことができる。以上により、ロール媒体経路が手差し供給経路を利用する構成において、手差し供給経路への不適切な媒体の供給防止と、ロールから巻き解かれて巻癖の付いた媒体の容易な供給作業と、のこれら（相反する事項）を両立させることが可能となる。
【００１４】
本発明の第４の態様は、第３の態様において、前記隙間調整手段が、前記規制部材に設けられた第１係合部と、前記ロールホルダに設けられた第２係合部と、を備え、前記ロールホルダが前記手差しトレイに装着された際に前記第２係合部が前記第１係合部と係合することにより、前記規制部材が姿勢変化し或いは変位する構成であることを特徴とする。
【００１５】
本態様によれば、前記隙間調整手段が、前記規制部材に設けられた第１係合部と、前記ロールホルダに設けられた第２係合部と、のこれらの係合により前記規制部材を姿勢変化させ或いは変位させる構成であるので、前記隙間調整手段を、構造簡単にして低コストに構成することができる。
【図面の簡単な説明】
【００１６】
【図１】本発明に係るインクジェットプリンターの用紙搬送経路を示す側断面概略図。
【図２】手差しトレイ取付部位の斜視図（手差しトレイオープン）。
【図３】手差しトレイ取付部位の斜視図（手差しトレイクローズ）。
【図４】手差しトレイの斜視図。
【図５】規制部材の斜視図。
【図６】規制部材の斜視図。
【図７】（Ａ）、（Ｂ）は規制部材の断面図であり、（Ａ）は図５のＡ−Ａ断面相当図、（Ｂ）は図５のＢ−Ｂ断面相当図。
【図８】（Ａ）、（Ｂ）は規制部材の断面図であり、（Ａ）は図５のＡ−Ａ断面相当図、（Ｂ）は図５のＢ−Ｂ断面相当図。
【図９】（Ａ）、（Ｂ）は規制部材の断面図であり、（Ａ）は図５のＡ−Ａ断面相当図、（Ｂ）は図５のＢ−Ｂ断面相当図。
【図１０】（Ａ）、（Ｂ）は規制部材の断面図であり、（Ａ）は図５のＡ−Ａ断面相当図、（Ｂ）は図５のＢ−Ｂ断面相当図。
【図１１】手差しトレイ取付部位の斜視図（ロール紙ホルダ装着途中状態）。
【図１２】手差しトレイ取付部位の斜視図（ロール紙ホルダ装着状態）。
【図１３】手差し供給経路の側断面概略図。
【発明を実施するための形態】
【００１７】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１８】
図１は、本発明に係る記録装置の一例としてのインクジェットプリンター１の用紙搬送経路を示す側断面概略図、図２は手差しトレイ１１取付部位の斜視図（手差しトレイ１１オープン状態）、図３は手差しトレイ１１取付部位の斜視図（手差しトレイ１１クローズ状態）、図４は手差しトレイ１１の斜視図、図５及び図６は規制部材１５の斜視図、図７〜図１０において（Ａ）は規制部材１５の断面図であり図５のＡ−Ａ断面相当図、図７〜図１０において（Ｂ）は規制部材１５の断面図であり図５のＢ−Ｂ断面相当図である。
【００１９】
また、図１１は手差しトレイ１１取付部位の斜視図（ロール紙ホルダ４０の装着途中状態）、図１２は手差しトレイ１１取付部位の斜視図（ロール紙ホルダ４０の装着状態）、図１３は手差し供給経路の側断面概略図である。
【００２０】
図１において、インクジェットプリンター１は、媒体の一例としての記録用紙にインクジェット記録を行う記録部が構成された装置本体２の上部にスキャナ部４を備えており、即ちインクジェット記録機能に加えてスキャナ機能を備える複合機として構成されている。尚、スキャナ部４の上部にはスキャナ部４に原稿を自動搬送する自動搬送装置が設けられているが、図１ではこの図示は省略している。
【００２１】
符号７は記録用紙を収容する、着脱可能な用紙カセットであり、符号９は記録が行われて排出された用紙を受ける排紙受けトレイである。そして装置後部（図１において右側）の天面には、用紙を手差しで供給する際に用紙を支持する手差しトレイ１１が設けられている。この手差しトレイ１１は開閉（回動）可能に設けられており、閉じることで図３に示す様に用紙を差し入れる手差し口１０が閉じられ、塵埃等が装置内部に侵入しない様になっている。そして手差しトレイ１１を開くことで、図２に示す様に記録用紙を差し入れる手差し口１０が開放され（形成され）、また用紙支持面１１ａによって用紙を支持できる様になっている。
【００２２】
以下、更に用紙搬送経路について説明する。尚、図１は用紙搬送経路の構成を示しているが、全ての構成を示すものではなく、説明に不要な構成要素は適宜図示を省略している。インクジェットプリンター１は、３つの用紙供給手段（用紙供給経路）を備えており、１つは装置下部に設けられた用紙カセット７からの用紙供給経路であり、もう１つは、上述した手差しトレイ１１からの用紙供給経路であり、残る一つが後述するロール紙ホルダ４０からの用紙（ロール紙）供給経路である。図１において符号Ｓ１は、手差し供給経路を示しており、図１３において符号Ｓ２は、「ロール媒体経路」としてのロール紙供給経路を示している。
【００２３】
用紙カセット７からの用紙給送経路において、用紙カセット７と対向する位置に設けられた符号２１で示すローラーは図示しないモーターにより回転駆動される給送ローラーであり、この給送ローラー２１は揺動軸２２ａを中心に揺動可能な揺動部材２２に設けられ、揺動部材２２の揺動を介して用紙カセット７に対し進退可能となっている。そして給送ローラー２１が用紙カセット７に収容された用紙の最上位のものと接して回転することで、当該最上位の用紙を下流側に送り出す。
【００２４】
用紙カセット７において給送側に位置する内壁は分離斜面２３となっており、送り出される用紙先端が分離斜面２３に摺接しながら下流側に進むことで、当該送り出される用紙と、これに連れられて重送されようとする次位以降の用紙との分離が行われる。
【００２５】
用紙カセット７から送り出された用紙は、図示しないモーターにより回転駆動される大径の反転ローラー２５によって湾曲反転させられた後、図示しないモーターにより回転駆動される駆動ローラー２９と、従動回転する従動ローラー３０と、のこれらローラーで構成される搬送ローラー対２８に到達する。尚、符号２６、２７は反転ローラー２５による用紙搬送を補助する、従動回転可能な補助ローラーである。
【００２６】
搬送ローラー対２８を構成する駆動ローラー２９及び従動ローラー３０は、下流側へと用紙を精密送りするローラー対であり、このローラー対の下流側にはインクジェット式の記録ヘッド３５と、用紙を支持する支持部材３２とが対向配置されている。
【００２７】
記録ヘッド３５は、主走査方向（図３の紙面表裏方向）に往復動可能なキャリッジ３４の底部に設けられ、キャリッジ３４が主走査方向に移動する過程において記録ヘッド３５からインクが吐出されることにより、記録用紙への記録が行われる。
【００２８】
次に、記録ヘッド３５の下流側において、符号３７は図示しないモーターにより回転駆動され、回転することにより用紙を排出する排出駆動ローラーであり、符号３８は排出駆動ローラー３７との間で用紙をニップする、従動回転可能な排出従動ローラーである。これらローラー対により、記録の行われた用紙は、排紙受けトレイ９に向けて排出される。
【００２９】
続いて、手差しトレイ１１からの用紙供給経路について説明する。手差しトレイ１１が開いた状態において、手差し口１０は、装置の筐体を構成するハウジング３の上部開口縁部３ａと手差しトレイ１１（用紙支持面１１ａ）との間で形成され、即ち装置上部において上方に開口する様に形成されている。尚、本実施形態ではこの様に手差し口１０はハウジング３の開口縁部３ｂと手差しトレイ１１（用紙支持面１１ａ）との間で形成されているが、例えばハウジング３の上面に単純な開口形状を形成し、これを手差し口としても良い。この場合、手差しトレイ１１は設けなくても良いし、手差しトレイ１１を設ける場合には手差し口１０の外側に設けても良い。
【００３０】
続いて、手差しトレイ１１について更に詳説する。手差しトレイ１１は、図２、図４に示す様に用紙幅方向に長い形状を成しており、インクジェットプリンター１の基体を構成するフレーム５に回動可能に支持されている。尚、図５において符号１１ｂは、手差しトレイ１１の長手方向一方側に設けられた回動軸を示しており、手差しトレイ１１はこの回動軸１１ｂを中心に回動する。
【００３１】
手差しトレイ１１には、長手方向（用紙幅方向）に変位可能なエッジガイド１２、１３が設けられている。エッジガイド１２、１３は手差し供給される用紙の両側端をガイドし、用紙の用紙幅方向位置を規制する。本実施形態では、用紙はセンター基準で供給される構成であり、従ってエッジガイド１２、１３は、手差しトレイ１１の長手方向中心位置を対称にして左右に変位する。
【００３２】
以降、エッジガイド１２、１３の双方の形状や、その周囲の構成部材は、左右対称であることを除いて同じであることから、一方側のエッジガイドであるエッジガイド１３、及びその周囲の構成部材について説明することとする。
【００３３】
エッジガイド１３は、図６に示す様にエッジガイド面１３ｂと案内斜面１３ａとを有している（図４において符号１２ａ、１２ｂは、それぞれエッジガイド１２の案内斜面、エッジガイド面を示す）。エッジガイド面１３ｂは、手差しトレイ１１の用紙支持面１１ａに対してほぼ垂直（９０°）を成す面であり、案内斜面１３ａは、エッジガイド面１３ｂよりも更に大きい開き角を成している（用紙支持面１１ａに対し９０°より大きい開き角）。これにより、用紙エッジが案内斜面１３ａからエッジガイド面１３ｂへと案内される。
【００３４】
エッジガイド１３には、規制部材１５が、用紙供給経路を側視して揺動可能となる様に設けられている。尚、規制部材１５と同様な規制部材１４が、エッジガイド１２の側にも設けられている。
【００３５】
規制部材１５は、図５に示す様に揺動軸１５ａを有しており、この揺動軸１５ａが、エッジガイド１３の軸受部１３ｅに軸支されている。規制部材１５は、ガイド部１５ｂを有しており、このガイド部１５ｂが、エッジガイド１３のベース面１３ｄとの間で用紙厚み方向に隙間（図７（Ｂ）において符号ｄで示す）を形成する。従ってガイド部１５ｂは、エッジガイド面１３ｂよりも手差しトレイ１１の中央寄りに迫り出ており、換言すれば庇状を成す様に形成されている。
【００３６】
手差し供給される用紙の両側端は、ガイド部１５ｂとエッジガイド１３のベース面１３ｄとの間の隙間ｄを通り、下流側へ供給されるので、これにより手差し供給に不適切な用紙、例えば極端に厚みのある用紙や、複数枚からなる用紙（用紙束）が、手差し供給されることが防止される。
【００３７】
この規制部材１５は、揺動軸１５ａに設けられたコイルばね１８によって、上記隙間ｄが狭まる方向に付勢された状態に設けられている。従って、何らの外力が作用しない状態では、上記隙間ｄは図７（Ｂ）のｄ１に維持される。尚、図５において符号１３ｃはエッジガイド１３に設けられた突起であり、符号１５ｃは規制部材１５に設けられた突起であって、それぞれコイルばね１８による付勢力を受ける部分である。また、コイルばね１８の装着部位はカバー１７（図４）によって覆われている（図５、図６ではカバー１７の図示は省略している）。エッジガイド１２の側においても同様に、符号１６は規制部材１４を付勢するコイルばね（不図示）を覆うカバーである。
【００３８】
そして規制部材１５は、ロール紙ホルダ４０が装着されると、当該ロール紙ホルダ４０から外力を受け、これにより上記隙間ｄが拡がり、隙間ｄ＝ｄ２（ｄ１＜ｄ２）になる様に構成されている（図１０（Ｂ））。以下、この構成について更に詳述する。
【００３９】
手差しトレイ１１の後方には、両端部近傍に取付穴１１ｃが形成されている（図２、図３）。この取付穴１１ｃに、ロール紙ホルダ４０に形成された「第２係合部」としてのロッド状の取付部４０ａが差し込まれることで、ロール紙ホルダ４０が手差しトレイ１１に装着される。
【００４０】
ロール紙ホルダ４０は用紙（ロール紙）がロール状に巻かれたロールＲを回転可能に支持するホルダであり、上記の様にロール紙ホルダ４０が手差しトレイ１１に対して着脱可能に設けられることで、手差し供給経路に対するロールＲの位置が正確に定まり易く、ロール紙を適切に手差し供給経路に供給することが可能となっている。
【００４１】
ここで、取付穴１１ｃの内部には、図７（Ａ）に示す様に規制部材１５に形成された、「第１係合部」としての突起１５ｄが位置している。そしてロール紙ホルダ４０の装着に伴い取付部４０ａが図８（Ａ）、（Ｂ）に示す様に取付穴１１ｃに挿入されると、図９（Ａ）、（Ｂ）に示す様に取付部４０ａの先端が突起１５ｄを押し、規制部材１５を揺動させる。
【００４２】
そして、取付部４０ａの下側には凹部４０ｄが形成されており、取付穴１１ｃの下側縁部を形成する凸部１１ｄが入り込める様になっているので、取付部４０ａをやや下側に移動させることで、凸部１１ｄが凹部４０ｄに入り込み、ロール紙ホルダ４０が完全装着状態となる。このとき、規制部材１５に形成された突起１５ｄは、取付部４０ａの先端下側を構成する斜面４０ｂから垂直面４０ｃとの係合状態に移り、その状態の姿勢で保持される。
【００４３】
この状態では、規制部材１５が揺動したことにより、規制部材１５におけるガイド部１５ｂと、エッジガイド１３のベース面１３ｄとの間の隙間ｄが拡がり、隙間ｄ＝ｄ２（ｄ１＜ｄ２）になる。尚、図１１はロール紙ホルダ４０の装着途中状態を示し、図１２、図１３はロール紙ホルダ４０の完全装着状態を示している。また図１２において符号Ｐｒは、ロールＲから繰り出された（巻き解かれた）ロール紙を示している。
【００４４】
以上の構成により、以下の様な作用効果が得られる。即ち、ロールＲからロール紙が繰り出される（巻き解かれる）と、そのロール紙には巻癖が付いており、従ってその様な巻癖の付いたロール紙を上記隙間ｄに通すには作業性が悪い。しかしながら、ロール紙ホルダ４０が手差しトレイ１１に装着された際に、上記隙間ｄが拡がる方向に規制部材１５が姿勢変化するので、巻癖の付いたロール紙であっても、容易に上記隙間ｄに通すことができる。
【００４５】
つまり、ロール紙供給経路が手差し供給経路を利用する構成において、手差し供給経路への不適切な用紙の供給防止と、ロールＲから巻き解かれて巻癖の付いたロール紙の容易な供給作業と、のこれら（相反する事項）を両立させることが可能となる。
【００４６】
尚、「第１係合部」としての突起１５ｄと、「第２係合部」としての取付部４０ａは、ロール紙ホルダ４０が手差しトレイ１１に装着された際に上記隙間ｄが拡がる方向に規制部材１５を姿勢変化させる隙間調整手段を構成する。
【００４７】
そして、以上説明した様に、ロール紙がロール状に巻かれたロールＲ（ロール紙ホルダ４０）が手差し供給経路の上流に設けられ、ロール紙供給経路が手差し供給経路を利用する構成であることから、手差し供給経路とロール紙供給経路とを備えたインクジェットプリンター１において、装置構成の複雑化と大型化を抑制することができる。
【００４８】
以上説明した実施形態は一例であり、本発明が上記実施形態に限られないことは言うまでもない。例えば、規制部材１５は揺動することにより上記隙間ｄを変化させるが、上記隙間ｄの変化方向に変位可能に設けられていても良い。また、ロール紙ホルダ４０は手差しトレイ１１に設けられているが、これに限らず、装置本体を構成する筐体などに設けられていても良い。また、規制部材１５を揺動させる手段として、モーターなどの動力源を用いても良い。例えば、ロール紙ホルダ４０が装着されたことを検出する検出手段（センサー）を設け、その検出結果に基づき、規制部材１５を揺動させる構成である。
【００４９】
また本実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００５０】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００５１】
１  インクジェットプリンター、２  装置本体、３  ハウジング、４  スキャナ部、５  フレーム部材、７  用紙カセット、９  排紙受けトレイ、１０  手差し口、１１  手差しトレイ、１１ａ  支持面、１１ｂ  回動軸、１１ｃ  取付穴、１１ｄ  凸部、１２  エッジガイド、１３  エッジガイド、１３ａ  案内斜面、１３ｂ  エッジガイド面、１３ｃ  突起、１３ｄ  ベース面、１４  規制部材、１５  規制部材、１５ａ  揺動軸、１５ｂ  ガイド部、１５ｃ  突起、１５ｄ  突起（第１係合部）、１６  カバー、１７  カバー、１８  コイルばね、２０  ガイド部材、２１  給送ローラー、２２  揺動部材、２３  分離斜面、２５  中間ローラー、２６  補助ローラー、２７  補助ローラー、２８  搬送ローラー対、２９  駆動ローラー、３０  従動ローラー、３１  ローラー支持部材、３２  案内部材、３４  キャリッジ、３５  インクジェット記録ヘッド、３７  排出駆動ローラー、３８  排出従動ローラー、４０  ロール紙ホルダ、４０ａ  取付部（第２係合部）、４０ｂ  斜面、
４０ｃ  垂直面、４０ｄ  凹部、Ｐ  用紙、Ｒ  ロール紙ロール、Ｓ１  手差し供給経路、
Ｓ２  ロール紙供給経路
【図１】
2013112473.tif 000003
【図２】
2013112473.tif 000004
【図３】
2013112473.tif 000005
【図４】
2013112473.tif 000006
【図５】
2013112473.tif 000007
【図６】
2013112473.tif 000008
【図７】
2013112473.tif 000009
【図８】
2013112473.tif 000010
【図９】
2013112473.tif 000011
【図１０】
2013112473.tif 000012
【図１１】
2013112473.tif 000013
【図１２】
2013112473.tif 000014
【図１３】
2013112473.tif 000015